(57)【要約】【課題】アンテナ用端子に入力される信号がＣＡＴＶの信号や共用アンテナからの信号となるときにも、電子番組表を取得するためのチャンネルの設定を簡単化する。【解決手段】サーチ手段１６は、該当するチャンネル設定テーブル１９の一覧において、テレビ放送を受信できたチャンネルの総数が一覧により示されるチャンネルの総数より少なく且つチャンネル設定テーブル１９により電子番組表が放送されることが示されたチャンネルを受信するときにも電子番組表を取得できないときには全チャンネルサーチを行い、番組表チャンネル設定手段１７は、全チャンネルサーチにおいてテレビ放送の受信が可能であることが判明したチャンネルのうちから電子番組表を取得可能なチャンネルを検出する。【選択図】図１
2007243857.tif 000002
【特許請求の範囲】
【請求項１】
テレビ放送を受信するチューナ部と、
複数の地域のそれぞれについて、地域に、前記地域において受信可能となるチャンネルの一覧と前記地域において電子番組表が放送されるチャンネルと電子番組表の放送時刻とを対応付けたデータベースであるチャンネル設定テーブルを記憶した記憶手段と、
テレビ放送を受信可能なチャンネルを調べるサーチ手段と、
電子番組表を取得するときに受信するチャンネルである番組表チャンネルを設定する番組表チャンネル設定手段と、
受信したテレビ放送から電子番組表を取得する番組表取得手段とを備えたテレビ用チューナ付電子装置において、
サーチ手段は、該当する地域に対応付けられたチャンネル設定テーブルの一覧により示されるチャンネルにおいてテレビ放送を受信できたチャンネルの総数が前記一覧により示されるチャンネルの総数より少なく且つチャンネル設定テーブルにより電子番組表が放送されることが示されたチャンネルを受信するときにも電子番組表を取得できないときには、全てのチャンネルについてテレビ放送が受信できるかどうかを調べる全チャンネルサーチを行い、
番組表チャンネル設定手段は、全チャンネルサーチにおいてテレビ放送の受信が可能であることが判明したチャンネルのうちから電子番組表を取得可能なチャンネルを検出するとともに検出したチャンネルを番組表チャンネルに設定し、且つ、電子番組表を取得可能なチャンネルの検出を行うときには、全チャンネルサーチにおいてテレビ放送の受信が可能であることが判明したチャンネルについて、チャンネルを示す数値の小さい側のチャンネルからチャンネルを示す数値の大きい側のチャンネルに向かって順次検出を行い、且つ、電子番組表を取得可能なチャンネルを検出した場合、検出されたチャンネルの受信レベルが所定レベルより低いときには、電子番組表を取得可能であり且つ受信レベルが所定レベルより高いチャンネルが検出されるまで電子番組表の取得が可能なチャンネルの検出を続行し、且つ、電子番組表が取得可能であるかどうかを調べる時刻は、該当する地域に対応付けられたチャンネル設定テーブルにおいて電子番組表が放送されることが示された時刻としたことを特徴とするテレビ用チューナ付電子装置。
【請求項２】
テレビ放送を受信するチューナ部と、
複数の地域のそれぞれについて、地域に、前記地域において受信可能となるチャンネルの一覧と前記地域において電子番組表が放送されるチャンネルとを対応付けたデータベースであるチャンネル設定テーブルを記憶した記憶手段と、
テレビ放送を受信可能なチャンネルを調べるサーチ手段と、
電子番組表を取得するときに受信するチャンネルである番組表チャンネルを設定する番組表チャンネル設定手段と、
受信したテレビ放送から電子番組表を取得する番組表取得手段とを備えたテレビ用チューナ付電子装置において、
サーチ手段は、該当する地域に対応付けられたチャンネル設定テーブルの一覧により示されるチャンネルにおいてテレビ放送を受信できたチャンネルの総数が前記一覧により示されるチャンネルの総数より少なく且つチャンネル設定テーブルにより電子番組表が放送されることが示されたチャンネルを受信するときにも電子番組表を取得できないときには、全てのチャンネルについてテレビ放送が受信できるかどうかを調べる全チャンネルサーチを行い、
番組表チャンネル設定手段は、全チャンネルサーチにおいてテレビ放送の受信が可能であることが判明したチャンネルのうちから電子番組表を取得可能なチャンネルを検出するとともに検出したチャンネルを番組表チャンネルに設定することを特徴とするテレビ用チューナ付電子装置。
【請求項３】
番組表チャンネル設定手段は、電子番組表を取得可能なチャンネルの検出を行うときには、全チャンネルサーチにおいてテレビ放送の受信が可能であることが判明したチャンネルについて、チャンネルを示す数値の小さい側のチャンネルからチャンネルを示す数値の大きい側のチャンネルに向かって順次検出を行うことを特徴とする請求項２に記載のテレビ用チューナ付電子装置。
【請求項４】
番組表チャンネル設定手段は、電子番組表を取得可能なチャンネルを検出した場合、検出されたチャンネルの受信レベルが所定レベルより低いときには、電子番組表を取得可能であり且つ受信レベルが所定レベルより高いチャンネルが検出されるまで電子番組表の取得が可能なチャンネルの検出を続行することを特徴とする請求項２または請求項３に記載のテレビ用チューナ付電子装置。
【発明の詳細な説明】
【技術分野】
【０００１】
本発明は、ハードディスクレコーダ等のように、テレビ放送を受信するチューナ部を備えたテレビ用チューナ付電子装置に係り、より詳細には、受信したテレビ放送から電子番組表を取得するテレビ用チューナ付電子装置に関する。
【背景技術】
【０００２】
ハードディスクレコーダ（以下では、ＨＤＤレコーダと称する）等の装置において録画予約を行うとき、電子番組表を参照することができると、録画予約の入力が簡単となる。すなわち、表示された電子番組表から予約録画したい番組を選び、選んだ番組をカーソルによって指定するのみで、選んだ番組の録画が予約される。このため、電子番組表の取得は不可欠となっている。一方、装置の内部には、地域のそれぞれ毎に、その地域でテレビ放送の受信が可能なチャンネルの一覧を示すチャンネル設定テーブル（以下では、単にテーブルと称する）が記憶されている。また、このテーブルには、電子番組表を受信可能なチャンネルに関する情報と電子番組表の放送時間に関する情報とが、併せて記憶されている。このため、装置の側では、電子番組表の放送時間になると電源を立ち上げて電子番組表を受信し、内部に記憶するようになっている（第１の従来技術とする）。
【０００３】
また、以下に示す技術が提案されている（第２の従来技術とする）。すなわち、新しくテレビ受像機を購入した、あるいは、引っ越しをしたときなどでは、テレビ放送を受信可能なチャンネルを調べ、受信が可能であったチャンネルを数字キーに割り当てる初期設定が行われる。このとき、全チャンネルを調べると、受信が可能なチャンネルの一覧が得られるまでに時間を要する。このため、テレビ受像機の置かれた地域用のチャンネルテーブルにおいて受信可能とされるチャンネルのみを受信し、テレビ放送が実際に受信可能であるチャンネルの一覧を得ることが開示されている。そして、実際に受信が可能であったチャンネルについての電子番組表を、ブロードバンドレシーバなどの通信装置を利用して、電子番組表のサービスサーバから取得することも開示されている。また、電子番組表については、デジタル放送の場合では、放送波によっても提供されるので、放送波によって提供される電子番組表を利用することが可能であることも、併せて開示されている（例えば、特許文献１参照）。
【特許文献１】特開２００５−８６３６７号公報
【発明の開示】
【発明が解決しようとする課題】
【０００４】
しかしながら、第１の従来技術を用いる場合には、以下に示す問題を生じていた。すなわち、装置のアンテナ用端子に入力される信号が、ケーブルテレビ（以下では、ＣＡＴＶと称する）による信号、あるいは、共用アンテナからの信号となっている場合には、電子番組表を受信できない事態が生じる。すなわち、ＣＡＴＶの信号や共用アンテナからの信号は、ＵＨＦのチャンネルがＶＨＦのチャンネルに変換されて伝送されることが多い。このため、テーブルにおいて電子番組表が放送されることが示されたチャンネルを受信したときにも、実際に受信されるチャンネルが、テーブルにおいて示されたチャンネルとは異なるチャンネルとなることがあり、電子番組表を受信できなくなる。そして、このような事態となるときでは、手動によって、電子番組表を受信するチャンネルを設定する必要がある。すなわち、実際に受信される番組の内容から、現在受信しているチャンネルが、テーブルにおいて電子番組表が受信可能とされるチャンネルに該当しているのかどうかを調べ、該当するチャンネルであることが判明したとき、受信中のチャンネルを、電子番組表を取得するためのチャンネルに設定する必要がある。つまり、電子番組表を受信するためのチャンネルを設定する操作は、極めて煩雑、且つ、手間を要する操作となる。
【０００５】
第２の従来技術は、テレビ受像機が置かれた地域において受信が可能とされるチャンネルのみをサーチすることで、チャンネル設定に要する時間を短くする技術となっている。このため、第１の従来技術において生じた問題、すなわち、電子番組表を受信するためのチャンネルを設定する操作が極めて煩雑且つ手間を要する操作となるので、この問題を解決する観点からは適用することが困難となっている。
【０００６】
本発明は、上記の問題点を解決するため創案されたものであり、その目的は、アンテナ用端子に入力される信号がＣＡＴＶの信号や共用アンテナからの信号となるときにも、電子番組表を取得するためのチャンネルの設定を簡単化することのでき、且つ、電子番組表を取得可能なチャンネルの検出に要する時間を短縮することのでき、且つ、電子番組表が取得できたり、取得できなかったりするという、電子番組表の取得が不確実となる事態の発生を防止することのでき、且つ、電子番組表の取得が可能なチャンネルの検出が不能となる事態の発生を防止することのできるテレビ用チューナ付電子装置を提供することにある。
【０００７】
また本発明の目的は、全チャンネルサーチにおいてテレビ放送の受信が可能であることが判明したチャンネルのうちから電子番組表を取得可能なチャンネルを検出するとともに検出したチャンネルを番組表チャンネルに設定することにより、アンテナ用端子に入力される信号がＣＡＴＶの信号や共用アンテナからの信号となるときにも、電子番組表を取得するためのチャンネルの設定を簡単化することのできるチューナ付電子装置を提供することにある。
【０００８】
また、上記目的に加え、電子番組表を取得可能なチャンネルの検出を行うときには、チャンネルを示す数値の小さい側のチャンネルからチャンネルを示す数値の大きい側のチャンネルに向かって順次検出を行うことにより、電子番組表を取得可能なチャンネルの検出に要する時間を短縮することのできるテレビ用チューナ付電子装置を提供することにある。
【０００９】
また、上記目的に加え、電子番組表を取得可能なチャンネルの受信レベルが所定レベルより低いときには、電子番組表を取得可能であり且つ受信レベルが所定レベルより高いチャンネルが検出されるまで電子番組表の取得が可能なチャンネルの検出を続行することにより、受信レベルの低さが原因となって、電子番組表が取得できたり取得できなかったりするという、電子番組表の取得が不確実となる事態の発生を防止することのできるテレビ用チューナ付電子装置を提供することにある。
【課題を解決するための手段】
【００１０】
上記の課題を解決するため、本発明に係るテレビ用チューナ付電子装置は、テレビ放送を受信するチューナ部と、複数の地域のそれぞれについて、地域に、前記地域において受信可能となるチャンネルの一覧と前記地域において電子番組表が放送されるチャンネルと電子番組表の放送時刻とを対応付けたデータベースであるチャンネル設定テーブルを記憶した記憶手段と、テレビ放送を受信可能なチャンネルを調べるサーチ手段と、電子番組表を取得するときに受信するチャンネルである番組表チャンネルを設定する番組表チャンネル設定手段と、受信したテレビ放送から電子番組表を取得する番組表取得手段とを備えたテレビ用チューナ付電子装置に適用している。そして、サーチ手段は、該当する地域に対応付けられたチャンネル設定テーブルの一覧により示されるチャンネルにおいてテレビ放送を受信できたチャンネルの総数が前記一覧により示されるチャンネルの総数より少なく且つチャンネル設定テーブルにより電子番組表が放送されることが示されたチャンネルを受信するときにも電子番組表を取得できないときには、全てのチャンネルについてテレビ放送が受信できるかどうかを調べる全チャンネルサーチを行い、番組表チャンネル設定手段は、全チャンネルサーチにおいてテレビ放送の受信が可能であることが判明したチャンネルのうちから電子番組表を取得可能なチャンネルを検出するとともに検出したチャンネルを番組表チャンネルに設定し、且つ、電子番組表を取得可能なチャンネルの検出を行うときには、全チャンネルサーチにおいてテレビ放送の受信が可能であることが判明したチャンネルについて、チャンネルを示す数値の小さい側のチャンネルからチャンネルを示す数値の大きい側のチャンネルに向かって順次検出を行い、且つ、電子番組表を取得可能なチャンネルを検出した場合、検出されたチャンネルの受信レベルが所定レベルより低いときには、電子番組表を取得可能であり且つ受信レベルが所定レベルより高いチャンネルが検出されるまで電子番組表の取得が可能なチャンネルの検出を続行し、且つ、電子番組表が取得可能であるかどうかを調べる時刻は、該当する地域に対応付けられたチャンネル設定テーブルにおいて電子番組表が放送されることが示された時刻としている。
【００１１】
すなわち、該当する地域に対応付けられたチャンネル設定テーブルの一覧により示されるチャンネルにおいてテレビ放送を受信できたチャンネルの総数が前記一覧により示されるチャンネルの総数より少なく且つチャンネル設定テーブルにより電子番組表が放送されることが示されたチャンネルを受信するときにも電子番組表を取得できないときとは、チューナ部に入力される信号が、ＣＡＴＶや共用アンテナからの信号となるときである。そして、このときでは、実際に電子番組表を取得可能であることが判明したチャンネルが、電子番組表の取得時の受信用のチャンネルに自動で設定される。また、電子番組表が放送されるチャンネルの数値は、一般的には、数値の小さい側のチャンネルにおいて放送されることが多い。また、電子番組表の取得時の受信用として検出されたチャンネルは、常に、確実に、電子番組表を取得可能な信号強度のテレビ放送を受信可能なチャンネルとなる。また、該当する地域に対応するチャンネル設定テーブルにより示された電子番組表の放送時刻は、ＣＡＴＶや共用アンテナからの信号の所定のチャンネルにおいて、電子番組表が放送される時刻と一致する。
【００１２】
また本発明に係るテレビ用チューナ付電子装置は、テレビ放送を受信するチューナ部と、複数の地域のそれぞれについて、地域に、前記地域において受信可能となるチャンネルの一覧と前記地域において電子番組表が放送されるチャンネルとを対応付けたデータベースであるチャンネル設定テーブルを記憶した記憶手段と、テレビ放送を受信可能なチャンネルを調べるサーチ手段と、電子番組表を取得するときに受信するチャンネルである番組表チャンネルを設定する番組表チャンネル設定手段と、受信したテレビ放送から電子番組表を取得する番組表取得手段とを備えたテレビ用チューナ付電子装置に適用している。そして、サーチ手段は、該当する地域に対応付けられたチャンネル設定テーブルの一覧により示されるチャンネルにおいてテレビ放送を受信できたチャンネルの総数が前記一覧により示されるチャンネルの総数より少なく且つチャンネル設定テーブルにより電子番組表が放送されることが示されたチャンネルを受信するときにも電子番組表を取得できないときには、全てのチャンネルについてテレビ放送が受信できるかどうかを調べる全チャンネルサーチを行い、番組表チャンネル設定手段は、全チャンネルサーチにおいてテレビ放送の受信が可能であることが判明したチャンネルのうちから電子番組表を取得可能なチャンネルを検出するとともに検出したチャンネルを番組表チャンネルに設定する。
【００１３】
すなわち、該当する地域に対応付けられたチャンネル設定テーブルの一覧により示されるチャンネルにおいてテレビ放送を受信できたチャンネルの総数が前記一覧により示されるチャンネルの総数より少なく且つチャンネル設定テーブルにより電子番組表が放送されることが示されたチャンネルを受信するときにも電子番組表を取得できないときとは、アンテナ端子に入力される信号が、ＣＡＴＶや共用アンテナからの信号となるときである。そして、このときでは、実際に電子番組表を取得可能であることが判明したチャンネルが、電子番組表の取得時の受信用のチャンネルに自動で設定される。
【００１４】
また、上記構成に加え、番組表チャンネル設定手段は、電子番組表を取得可能なチャンネルの検出を行うときには、全チャンネルサーチにおいてテレビ放送の受信が可能であることが判明したチャンネルについて、チャンネルを示す数値の小さい側のチャンネルからチャンネルを示す数値の大きい側のチャンネルに向かって順次検出を行う。すなわち、電子番組表が放送されるチャンネルの数値は、一般的には、数値の小さい側のチャンネルにおいて放送されることが多い。
【００１５】
また、上記構成に加え、番組表チャンネル設定手段は、電子番組表を取得可能なチャンネルを検出した場合、検出されたチャンネルの受信レベルが所定レベルより低いときには、電子番組表を取得可能であり且つ受信レベルが所定レベルより高いチャンネルが検出されるまで電子番組表の取得が可能なチャンネルの検出を続行する。すなわち、所定レベルを、常に、確実に、電子番組表を取得可能な受信レベルとするときでは、検出されたチャンネルは、常に、確実に、電子番組表を取得可能な信号強度のテレビ放送を受信可能なチャンネルとなる。
【発明の効果】
【００１６】
本発明によれば、チューナ部に入力される信号が、ＣＡＴＶや共用アンテナからの信号であると見なされるときでは、実際に電子番組表を取得可能であることが判明したチャンネルが、電子番組表の取得時の受信用のチャンネルに自動で設定される。また、電子番組表が放送されるチャンネルの検出は、実際に電子番組表が放送される可能性の高いチャンネルから開始される。また、電子番組表の取得時の受信用として検出されたチャンネルは、常に、確実に、電子番組表を取得可能な信号強度のテレビ放送を受信可能なチャンネルとなる。また、実際に電子番組表が放送される時刻において、電子番組表が取得できるかどうかを調べることができる。このため、チューナ部に入力される信号がＣＡＴＶの信号や共用アンテナからの信号となるときにも、電子番組表を取得するためのチャンネルの設定を簡単化することができ、且つ、電子番組表を取得可能なチャンネルの検出に要する時間を短縮することができ、且つ、受信レベルの低さが原因となって、電子番組表が取得できたり取得できなかったりするという、電子番組表の取得が不確実となる事態の発生を防止することができ、且つ、電子番組表の取得が可能なチャンネルの検出が不能となる事態の発生を防止することができる。
【００１７】
また本発明によれば、アンテナ端子に入力される信号が、ＣＡＴＶや共用アンテナからの信号であると見なされるときでは、実際に電子番組表を取得可能であることが判明したチャンネルが、電子番組表の取得時の受信用のチャンネルに自動で設定される。このため、チューナ部に入力される信号がＣＡＴＶの信号や共用アンテナからの信号となるときにも、電子番組表を取得するためのチャンネルの設定を簡単化することができる。すなわち、ユーザにとっての利便性を極めて高いものとすることができる。
【００１８】
また、さらに、電子番組表が放送されるチャンネルの検出は、実際に電子番組表が放送される可能性の高いチャンネルから検出が開始される。このため、電子番組表を取得可能なチャンネルの検出に要する時間を短縮することができる。
【００１９】
また、さらに、電子番組表の取得時の受信用として検出されたチャンネルは、常に、確実に、電子番組表を取得可能な信号強度のテレビ放送を受信可能なチャンネルとなるので、受信レベルの低さが原因となって、電子番組表が取得できたり取得できなかったりするという、電子番組表の取得が不確実となる事態の発生を防止することができる。
【発明を実施するための最良の形態】
【００２０】
以下、本発明の実施の形態について図を参照して説明する。
【００２１】
図１は、本発明に係るテレビ用チューナ付電子装置の一実施形態であるハードディスクレコーダの電気的構成を示すブロック線図である。なお、以下における説明では、チャンネルは、テレビ放送の周波数に対応するチャンネルを示すものとする。
【００２２】
図において、チューナ部１は、アンテナ用端子（図示を省略）を介して外部から入力された信号２９のうち、マイクロコンピュータ（以下ではマイコンと称する）７から指示されたチャンネルのテレビ放送を受信する。そして、受信して得られたアナログ映像音声信号をＡ／Ｄ変換部２に出力する。また、受信したテレビ放送の受信レベルを示す信号３１をマイコン７に出力する。Ａ／Ｄ変換部２は、チューナ部１から出力されるアナログ映像音声信号をＡ／Ｄ変換して得られたデジタル映像音声信号を信号処理部３に出力する。
【００２３】
ディスクドライブ部５は、ＤＶＤ等の光ディスク２１を対象として、映像音声情報の記録と再生とを行う。すなわち、信号処理部３より出力される圧縮された映像音声情報（以下では、単に映像音声情報と称する）を所定処理（８−１６変調等）して得られた信号を光ディスク２１に記録する。また、光ディスク２１に記録された信号を読み出した後、所定処理（８−１６復調とエラー訂正）して得られた映像音声情報を信号処理部３に出力する。
【００２４】
ハードディスクドライブ（ＨＤＤと称する）６は、映像音声情報の記録再生を行う。すなわち、信号処理部３より出力される映像音声情報を内部に記録する。また、内部に記録した映像音声情報を再生して信号処理部３に出力する。Ｄ／Ａ変換部４は、信号処理部３より出力される伸長された映像音声情報を、アナログ映像音声信号に変換し、外部に設けられたテレビ受像機２２に出力する。
【００２５】
信号処理部３は、エンコード部１２を用いて、Ａ／Ｄ変換部２から出力される映像音声情報をＭＰＥＧ２方式（音声信号についてはＡＣ−３方式）によって圧縮処理した後、ストリーム合成を行うことによって得られた映像音声情報をディスクドライブ部５やＨＤＤ６に出力する。また、ディスクドライブ部５やＨＤＤ６から出力される映像音声情報を、ストリーム分離した後、デコード部１３を用いることによって、映像情報をＭＰＥＧ２方式（音声情報についてはＡＣ−３方式）で伸長処理する。そして、伸長処理により得られた映像音声情報をＤ／Ａ変換部４に出力する。
【００２６】
また、信号処理部３は、マイコン７からの指示に従い、ディスクドライブ部５から出力される映像音声情報をＨＤＤ６に送出する。また、ＨＤＤ６から出力される映像音声情報をディスクドライブ部５に送出する。また、オンスクリーンディスプレイ（以下では、ＯＳＤと称する）１４を用いて、サブピクチャが示す字幕等の情報や、マイコン７から指示された文字等の情報を生成し、Ｄ／Ａ変換部４に出力する映像音声情報に重畳する。
【００２７】
入力回路部１０は、図示されない装置本体の前面パネルに設けられた電源キーや録画キー等の複数のキースイッチ、および、リモコン２３から送信される赤外線信号を受光する受光ユニット等を備えており、ユーザからの指示が入力される。また、入力されたユーザからの指示をマイコン７に出力する。
【００２８】
記憶手段９は、チャンネル設定テーブル（以下では、単にテーブルと称する）１９等を記憶する不揮発性のメモリである。テーブル１９は、複数の地域のそれぞれについて、例えば地域Ａを取り上げると、図２に示したように、地域を識別するためのデータ３１に、前記地域において受信可能となるチャンネルの一覧３２と、前記地域において電子番組表（ＥＰＧ）が放送されるチャンネル（番組表チャンネル）３３と、電子番組表が放送される時刻の一覧とを対応付けたデータベースとなっている。番組表取得手段８は、チューナ部１がテレビ放送を受信したときに出力する信号から電子番組表を示すデータを取得し、マイコン７に出力する。
【００２９】
マイコン７は、ハードディスクレコーダとしての主要動作を制御する。すなわち、リモコン２３等に入力されたユーザの指示に従って、チューナ部１が受信するチャンネルを制御する。また、信号処理部３とディスクドライブ部５とを制御することにより、光ディスク２１に記録された映像音声情報を再生してテレビ受像機２２に表示する。また、チューナ部１が出力したアナログ映像音声情報を、映像音声情報に変換して光ディスク２１に記録する。
【００３０】
また、信号処理部３とＨＤＤ６とを制御することにより、ＨＤＤ６に記録された映像音声情報を再生してテレビ受像機２２に表示する。また、チューナ部１が出力したアナログ映像音声信号を、映像音声情報に変換してＨＤＤ６に記録する。また、信号処理部３、ディスクドライブ部５、および、ＨＤＤ６を制御することによって、光ディスク２１に記録された映像音声情報をＨＤＤ６に転送して記録する。また、ＨＤＤ６に記録された映像音声情報を光ディスク２１にダビングする。また、録画予約の入力の受け付けを行うとともに、入力された録画予約に基づき、チューナ部１が受信した映像音声情報を、ＨＤＤ６や光ディスク２１に記録する。
【００３１】
また、マイコン７は、実施形態が置かれた地域において受信可能なチャンネルの設定を行う。また、電子番組表を取得するときに受信するチャンネルである番組表チャンネルの設定を行う。このため、その機能の一部でもって、サーチ手段１６と番組表チャンネル設定手段１７とを構成する。
【００３２】
サーチ手段１６は、チューナ部１が受信するチャンネルを変更しつつ、受信したチャンネルのそれぞれについて、テレビ放送が受信可能かどうかを調べる。また、該当する地域に対応付けられたテーブル１９の一覧（例えば、図２の一覧３２）により示されるチャンネルにおいてテレビ放送を実際に受信できたチャンネルの総数が、前記一覧により示されるチャンネルの総数より少なく、且つ、テーブル１９により電子番組表が放送されることが示されたチャンネルを受信するときにも、番組表取得手段８が電子番組表を示すデータを取得できなかったときには、全てのチャンネルについてテレビ放送が受信できるかどうかを調べる全チャンネルサーチを行う。
【００３３】
番組表チャンネル設定手段１７は、サーチ手段１６による全チャンネルサーチにおいてテレビ放送の受信が可能であることが判明したチャンネルのうちから、電子番組表を取得可能なチャンネルを検出し、検出したチャンネルを番組表チャンネルに設定する。また、電子番組表を取得可能なチャンネルの検出を行うときには、全チャンネルサーチにおいてテレビ放送の受信が可能であることが判明したチャンネルについて、チャンネルを示す数値の小さい側のチャンネルから、チャンネルを示す数値の大きい側のチャンネルに向かって順次検出を行う。
【００３４】
また、番組表チャンネル設定手段１７は、電子番組表を取得可能なチャンネルを検出したとき、検出されたチャンネルの受信レベルが所定レベルより低いときには、電子番組表を取得可能で、且つ、受信レベルが所定レベルより高いチャンネルが検出されるまで電子番組表の取得が可能なチャンネルの検出を続行する。なお、電子番組表を取得可能なチャンネルの検出は、該当する地域に対応するテーブル１９において電子番組表が放送されることが示された時刻において行う。
【００３５】
図３、図４は、チャンネル設定時の実施形態の主要動作を示すフローチャートである。必要に応じて同図を参照しつつ、実施形態の動作を説明する。
【００３６】
リモコン２３等を用いてチャンネル設定を指示し（ステップＳ１）、このときに表示された画面に従い、該当する地域を選択する（例えば、『地域Ａ』が選択されたとする）（ステップＳ２）。サーチ手段１６は、『地域Ａ』のテーブル１９のチャンネルの一覧３２により示されたチャンネルを順次受信し、チャンネルのそれぞれについて、テレビ放送が受信されるかどうかを調べる（ステップＳ３）。また、テーブル１９により電子番組表が放送されることが示されたチャンネル（番組表チャンネルであり、例えば、チャンネル４）において、番組表取得手段８の出力に基づき、電子番組表が取得可能かどうかを調べる（ステップＳ４）。
【００３７】
なお、ステップＳ４以後の動作は、電子番組表が放送されている期間（電子番組表の放送時刻から、電子番組表の放送が終了するまでの期間であり、例えば、電子番組表の放送時刻から１０分以内の期間）において実行されるものとする（図示されないタイマの計時時刻が参照される）。また、ステップＳ４においては、電子番組表の内容を取得するのではなく、電子番組表を取得可能かどうかを調べるのみとなっている。従って、ステップＳ４の動作については、１０秒以内で判別が可能になっている。
【００３８】
テーブル１９により示された番組表チャンネルを受信したときにも、電子番組表を取得できないことが判明した場合、サーチ手段１６は、ステップＳ３においてテレビ放送の受信が可能だったチャンネルの総数が、一覧３２により示されたチャンネルの総数より少ないかどうかを調べる（ステップＳ５，Ｓ６）。
【００３９】
ステップＳ３においてテレビ放送が受信可能であったチャンネルの総数が、一覧３２により示されたチャンネルの総数より少ない場合には、外部からチューナ部１に導かれた信号２９は、ＣＡＴＶまたは共用アンテナからの信号であるとして、全てのチャンネル（チャンネル１〜チャンネル６２）のサーチを行う（ステップＳ７，Ｓ８）。そして、テレビ放送が受信可能であるチャンネルの総数が、一覧３２により示されたチャンネルの総数より多いかどうかを調べる（ステップＳ９）。
【００４０】
テレビ放送が受信可能であったチャンネルが、図５の４１に示したチャンネルとなっていて、テレビ放送が受信可能であったチャンネルの総数が、一覧３２により示されたチャンネルの総数より多い場合には、信号２９はＣＡＴＶか共用アンテナからの信号であると見なす。このような場合、その地域において受信可能なチャンネルがＵ／Ｖ変換（ＵＨＦのチャンネルをＶＨＦのチャンネルに変換）されていることが多いので、電子番組表を取得可能なチャンネルも変更されていることが多い。
【００４１】
このため、番組表チャンネル設定手段１７は、電子番組表が取得可能なチャンネルの検出の動作に移行する。すなわち、受信可能なチャンネルのうち、チャンネルの数値が最も小さいチャンネル（このときではチャンネル１）を、受信チャンネルに設定する（ステップＳ１０，Ｓ２１）。そして、設定されたチャンネルにおいて電子番組表を取得できるかどうかを調べる（ステップＳ２２）。
【００４２】
電子番組表を取得できたときには、テレビ放送の受信レベルが所定レベル（常に安定して受信できると見なせる受信レベル）より強いかどうかを調べる（ステップＳ２３，Ｓ２４）。所定レベルより弱いときには、このチャンネルでは、受信レベルが不足するため、ときには電子番組表を取得できない可能性があるとして、次に受信するチャンネルが残っているかどうかを調べる（現在受信したチャンネルが、受信が可能であったチャンネルのうち、最も数値の大きいチャンネルであったかどうかを調べる）（ステップＳ２６）。
【００４３】
現在受信中のチャンネルより数値の大きいチャンネルが残っている場合には、受信するチャンネルを、テレビ放送が受信可能であったチャンネルのうちで、数値が高い方向において次となるチャンネルを、受信チャンネルに設定する（ステップＳ２７）。そして後、動作をステップＳ２２に移行して、電子番組表が取得可能かどうかを調べる。以下、同様の繰り返しとなる。
【００４４】
そして、電子番組表を取得できたチャンネルが見つかり（例えば、チャンネル３とする）、且つ、そのときの受信レベルが所定レベルより強かった場合には、動作を、ステップＳ２５からステップＳ３１に移行し、このときのチャンネルを番組表チャンネル（図５の４２により示す）に設定する（このときでは、電子番組表の放送時刻は、『地域Ａ』のテーブル１９の３４により示された時刻と同一であるとみなす）。
【００４５】
一方、テレビ放送の受信が可能であった全てのチャンネルに関して、電子番組表が取得可能ではあったが、受信レベルが所定レベルより強いレベルとなるチャンネルが見つからなかった場合、動作は、ステップＳ２６からステップＳ３２に移行する。そして、受信レベルが所定レベルより弱かったけれど、電子番組表が取得できたチャンネルがあったかどうかを調べる。そして、電子番組表を取得できたチャンネルがあったときには、そのチャンネルを、番組表チャンネルに設定する（ステップＳ３３，Ｓ３４）。一方、電子番組表を取得できたチャンネルが無かったときには、番組表チャンネルを設定することなく動作を終了する。
【００４６】
以下に補足的な説明を行うと、ステップＳ８において全てのチャンネルのサーチを行ったとき、テレビ放送を受信可能であったチャンネルの総数が、テーブル１９の一覧３２において示されたチャンネルの総数より少ないとき（このような事態の可能性はほぼ０である）には、原因が不明であるとして、動作を終了する。（ステップＳ９，Ｓ１０）。なお、このときでは、全チャンネルサーチを行った結果、テレビ放送を受信可能であったチャンネルの総数が、一覧３２において示されたチャンネルの総数より少なかったことを示すメッセージを表示することが望ましい。
【００４７】
また、ステップＳ４の動作で、テーブル１９により電子番組表が放送されることが示されたチャンネルを受信したとき、電子番組表を取得できたときには、このときのチャンネルを番組表チャンネルに設定する（ステップＳ５，Ｓ１５）。また、このときでは、ステップＳ３においてテレビ放送が受信できたチャンネルの全てを、受信用のチャンネル（リモコン２３等によって指示することが可能なチャンネル）に設定する。
【００４８】
また、テーブル１９において電子番組表が放送されることが示されたチャンネルを受信したときにも電子番組表を取得できなかったが、一覧３２により示される全てのチャンネルにおいてテレビ放送が受信できたときでは、個別のアンテナからの出力がチューナ部１に導かれており、電子番組表が放送されるチャンネルの電波が弱いに過ぎないと見なす。従って、このときでは、動作はステップＳ７を経て、終了する（このときでは、一覧３２により示されるチャンネルの全てを、受信用のチャンネルに設定する）。
【００４９】
なお、本発明は上記実施形態に限定されず、テレビ放送を受信するチューナ部１を有するその他の装置（例えば、テレビ受像機、ＤＶＤレコーダ、ビデオカセットレコーダ、ビデオカセットレコーダ一体型ＤＶＤレコーダ、等）の場合にも、同様に適用することができる。
【００５０】
また、チューナ部１が、アナログ放送に加え、デジタル放送も受信可能な構成となる場合にも、同様に適用することができる。
【図面の簡単な説明】
【００５１】
【図１】本発明に係るテレビ用チューナ付電子装置の一実施形態であるハードディスクレコーダの電気的構成を示すブロック線図である。
【図２】チャンネル設定テーブルの一例を示す説明図である。
【図３】チャンネルの初期設定時の実施形態の主要動作を示すフローチャートである。
【図４】チャンネルの初期設定時の実施形態の主要動作を示すフローチャートである。
【図５】全チャンネルサーチを行ったときに、テレビ放送を受信可能であったチャンネルの一覧を示す説明図である。
【符号の説明】
【００５２】
１  チューナ部
８  番組表取得手段
９  記憶手段
１６  サーチ手段
１７  番組表チャンネル設定手段
１９  チャンネル設定テーブル
４２  設定された番組表チャンネル
【図１】
2007243857.tif 000003
【図２】
2007243857.tif 000004
【図３】
2007243857.tif 000005
【図４】
2007243857.tif 000006
【図５】
2007243857.tif 000007